(57)【要約】【課題】複数の台を組み合わせて互いの位置関係を変えつつ用いることができる台を提供する。【解決手段】載置面に載置され、上面を有する天板を備える基礎台と、該上面に上方から当接して支持される当接部と、下端が該載置面に当接し該当接部に対して固定される脚部と、を有する移動台と、を備え、該当接部が、該上面に沿った少なくとも異なる２点以上において該上面に当接可能である、台である。前記当接部が前記異なる２点以上において前記上面に当接した際、前記載置面に対する前記脚部の向きが略一定であってもよい。前記移動台を２以上備え、前記移動台のうち最上部に配設されるもの以外は上面を有する天板を有し、前記移動台各々に対して、その下方に存する台全てによって、前記基礎台が形成されるものであってもよい。【選択図】　図１
2004065651.tif 000002
【特許請求の範囲】
【請求項１】
載置面に載置され、上面を有する天板を備える基礎台と、
該上面に上方から当接して支持される当接部と、下端が該載置面に当接し該当接部に対して固定される脚部と、を有する移動台と、
を備え、
該当接部が、該上面に沿った少なくとも異なる２点以上において該上面に当接可能である、
台。
【請求項２】
前記当接部が前記異なる２点以上において前記上面に当接した際、前記載置面に対する前記脚部の向きが略一定である、請求項１に記載の台。
【請求項３】
前記移動台を２以上備え、
前記移動台のうち最上部に配設されるもの以外は上面を有する天板を有し、
前記移動台各々に対して、その下方に存する台全てによって、前記基礎台が形成されるものである、請求項１又は２に記載の台。
【請求項４】
前記当接部が起毛部分を有するものである、請求項１乃至３のいずれかに記載の台。
【請求項５】
前記当接部が、前記上面に沿ってスライド可能である、請求項１乃至４のいずれかに記載の台。
【請求項６】
前記基礎台と前記移動台とのうち一方に設けられた凹溝と、他方に設けられ該凹溝に遊嵌される凸部と、が互いに係合するものである、請求項１乃至５のいずれかに記載の台。
【請求項７】
前記凸部が前記凹溝に対して嵌脱自在なものである、請求項６に記載の台。
【請求項８】
前記移動台が収納部分を有するものである、請求項１乃至７のいずれかに記載の台。
【請求項９】
前記移動台が、上面を有する天板を備えるものである、請求項１乃至８のいずれかに記載の台。
【発明の詳細な説明】
【０００１】
【発明の属する技術分野】
本発明は、台に関し、より詳細には、複数の台の位置を変更して用いることができる台に関する。
【０００２】
【従来の技術】
台は、物を載せるためや、物を支えるため等に広く用いられている。
例えば、様々な物を収納する収納部分を、床（載置面）から上方の位置で支持することで、いわゆる収納棚又は収納ラック等と呼ばれるものを構成するのに台が用いられる。そして、上面を有する天板を所定の高さに支持すること（該上面が略水平にされることが多い。）で、いわゆる机又はテーブル等と呼ばれるものを構成するのにも台が用いられる。
【０００３】
【発明が解決しようとする課題】
しかしながら、従来用いられてきた台は、各々が独立した台を形成するものがほとんどであり、かかる台を様々に組み合わせて互いの位置関係を変えつつ用いるには不便なことが多かった。
特に、第一の台の上方に第二の台を配設して用いる場合、第一の台に対して第二の台を横方向に移動させた状態で用いようとすると、両方の台が互いに干渉等して（例えば、第二の台を支える脚部が第一の台に干渉する。）うまく用いることができない場合があった。
【０００４】
そこで、本発明では、複数の台を組み合わせて互いの位置関係を変えつつ用いることができる台を提供することを目的とする。
【０００５】
【課題を解決するための手段】
本発明の台（以下、「本台」という。）は、載置面に載置され、上面を有する天板を備える基礎台と、該上面に上方から当接して支持される当接部と、下端が該載置面に当接し該当接部に対して固定される脚部と、を有する移動台と、を備え、該当接部が、該上面に沿った少なくとも異なる２点以上において該上面に当接可能である、台である。
【０００６】
本発明にいう「台」とは、載置面（通常は略水平面）に載置されることで、載置面よりも上方に所定の物を支持することができるものをいう。
また、本発明にいう「天板」とは、載置面よりも上方に台によって支持された板をいう。
そして、本発明にいう「上」と「下」とは、水平な載置面に本台を載置した際の上と下とをそれぞれいう。
【０００７】
本台は、基礎台と移動台とを備えてなる。
本台においては、載置面に載置される基礎台が、上面を有する天板を備える。
そして、移動台は、当接部と脚部とを有する。移動台の当接部が、基礎台の天板の該上面に上方から当接して支持される。脚部は、その下端が載置面に当接し、当接部に対して固定される。なお、脚部の当接部への固定は、脚部が当接部に直接固定される場合と、脚部が部材等の何らかの要素を介して当接部に間接に固定される場合と、の両方の場合を含む。
このため移動台は、基礎台の天板の該上面に上方から当接して支持される当接部と、下端が載置面に当接し当接部に対して固定される脚部と、によって支持される。
そして、移動台の当接部は、基礎台の天板の該上面に沿った少なくとも異なる２点以上において該上面に当接可能であるので、基礎台に対して移動台は、当接部が該上面に当接する位置に応じて、少なくとも異なる２以上の位置をとることができる。
即ち、本台は、基礎台と移動台とを備える複数の台を組み合わせて互いの位置関係を変えつつ用いることができる台である。
【０００８】
前記当接部が前記異なる２点以上において前記上面に当接した際、前記載置面に対する前記脚部の向きが略一定であってもよい。
こうすることで前記当接部が、基礎台の天板の上面に当接する位置が異なっても（当接する位置を変えても）、載置面に対する前記脚部の向きが略一定になるので、当接部の当接位置が変わっても（即ち、基礎台に対する移動台の位置が変化しても）、移動台の姿勢が変わらず移動台が安定して支持される。
なお、「載置面に対する脚部の向きが一定」とは、載置面に当接した脚部の下端に対する、該下端以外の脚部の他の部分の相対的位置が変わらないことをいう。
【０００９】
前記移動台を２以上備え、前記移動台のうち最上部に配設されるもの以外は上面を有する天板を有し、前記移動台各々に対して、その下方に存する台全てによって、前記基礎台が形成されるものであってもよい。
こうすることで基礎台の上に移動台が複数（２以上）配設され、各移動台に対して、その下方に存する台全てによって基礎台が形成されるので、各移動台がその直下に存する台に対して少なくとも異なる２以上の位置をとることができるので、多くの移動台を様々に変化した位置関係に配設することができる。
なお、「移動台のうち最上部に配設されるもの以外は上面を有する天板を有し」とは、移動台のうち最上部に配設されるもの以外は該天板を有する必要があることを意味し、移動台のうち最上部に配設されるものは該天板を有しても有さなくてもよい。
【００１０】
前記当接部が起毛部分を有するものであってもよい。
こうすることで基礎台の天板の上面に当接部が当接する際、該上面と当接部との間の摩擦係数を低下させることで当接部が該上面に擦れつつ位置変更されることを円滑ならしめると共に、該上面と当接部との間の衝撃を起毛部分が吸収するので該上面と当接部とが衝突したような場合にも該上面と当接部とが破損することを防止することができる。
【００１１】
前記当接部が、前記上面に沿ってスライド可能であってもよい。
こうすることで移動台の当接部が、基礎台の天板の上面に沿ってスライドすることで、連続して該上面に当接可能であるので、基礎台に対する移動台の位置を連続して変えることができる。
【００１２】
前記基礎台と前記移動台とのうち一方に設けられた凹溝と、他方に設けられ該凹溝に遊嵌される凸部と、が互いに係合するものであってもよい。
こうすることで凹溝と凸部とが互いに係合するので、基礎台に対して移動台が所定の位置関係（凹溝に係合した凸部が、凹溝に沿って移動可能な位置関係）を保持することができる。このため基礎台に対して移動台が脱落すること（移動台の当接部が基礎台の天板の上面から外れる等）等を防止することができる。
そして、凹溝と凸部とが互いに係合する場合、前記凸部が前記凹溝に対して嵌脱自在なものであってもよい。こうすることで基礎台に対して移動台が所定の位置関係を保持する必要がない場合には前記凸部を前記凹溝から抜き取ることで基礎台に対して移動台の位置の自由度を大きくし、基礎台に対して移動台が所定の位置関係を保持する必要がある場合には前記凸部を前記凹溝に嵌入すればよい。
【００１３】
前記移動台が収納部分を有するものであってもよい。
こうすることで本台によって、収納部分の位置を様々に変化させることができるいわゆる収納棚又は収納ラック等を構成することができる。このことは使用者の生活様式や志向に適宜合わせた収納棚又は収納ラック等を容易かつ自由に構成することができる。
【００１４】
前記移動台が、上面を有する天板を備えるものであってもよい。
こうすることで本台によって、天板の上面の位置を様々に変化させることができるいわゆる机又はテーブル等を構成することができる。このことは使用者の生活様式や志向に適宜合わせた机又はテーブル等を容易かつ自由に構成することができる。
【００１５】
【発明の実施の形態】
以下、本発明の実施の形態を図面を参照して説明する。しかしながら、これらによって本発明は何ら制限されるものではない。
【００１６】
図１は一実施形態の本発明の台（本台）１１を示す斜視図であり、図２は本台１１の一部を構成する下収納棚２１を示す斜視図であり、図３は本台１１の一部を構成する中収納棚３１を示す斜視図であり、図４は本台１１の一部を構成する上収納棚４１を示す斜視図である。図１乃至図４を参照して、本台１１について説明する。なお、中収納棚３１と上収納棚４１とは、ぞれぞれ図３及び図４に示された状態では実際には自立しないが（後述の脚３５ａ、３５ｂと、脚４５ａ、４５ｂと、が一側側にしか配設されていないため）、理解及び説明を容易にするため図１に示されたように下収納棚２１と組み合わされた姿勢において図示している。
【００１７】
本台１１は、下収納棚２１と中収納棚３１と上収納棚４１とを備えてなる。
まず、下収納棚２１は、木製の板状部材が組み合わされて形成された有底無蓋の箱体（略直方体の一面を開放した形状を有する。）たる本体部２３と、本体部２３が形成する該略直方体の４辺に長手方向が略平行になるように該略直方体の一外面に図示しないボルト及びナットによって取り付けられた一対の脚２５ａ、２５ｂ（鋼製）と、本体部２３が形成する該略直方体の該４辺に長手方向が略平行になるように該略直方体の該一外面に平行な他の外面に図示しないボルト及びナットによって取り付けられた一対の脚２５ｃ、２５ｄ（鋼製）と、を有してなる。脚２５ａの下端と、脚２５ｂの下端と、脚２５ｃの下端と、脚２５ｄの下端と、のいずれもが、下収納棚２１の天板２３ａの上面２３ａａ（略水平面）に平行な載置面（ここでは水平な床面）６１に当接している。
【００１８】
また、本体部２３が形成する該略直方体の開放された一面（無蓋）によって構成される開口２３ｈは横方向（水平方向）を向くように配置されている（該略直方体の開放された一面が略鉛直面になるように配置されている。）。従って、本体部２３が形成する箱体の内部空間２３ｋは、様々な物を収納することができる収納部分として用いることができる（開口２３ｈを経由して内部空間２３ｋに被収納物を出し入れできる。）。
【００１９】
そして、下収納棚２１の天板２３ａの所定位置（具体的には、天板２３ａの上面２３ａａが形成する略長方形の一対の長辺に対して略平行な上面２３ａａ上の直線上の２点）には、一対の嵌入ボルト２７が配設されている。図５は、嵌入ボルト２７の取り付け状態を示す断面図（図２中、Ｃ−Ｃ断面図）である。図５を参照して、嵌入ボルト２７の取り付け状態について説明する。天板２３ａの所定位置（該直線上の点）には、天板２３ａの上面２３ａａに対して略垂直方向に向けて貫通穴２３ｆが穿設されている（上面２３ａａに対して平行な面による断面において貫通穴２３ｆは略円形の断面を有している。）。そして、貫通穴２３ｆには、外周に雄ねじが螺刻された円錐台形の金属製のスリーブ２９が嵌入されている（スリーブ２９の円錐台の軸は、上面２３ａａに対して略垂直になるように配設されている。）。スリーブ２９はその全部が貫通穴２３ｆにほぼ収容されるように配設されている（スリーブ２９の上端が上面２３ａａとほぼ同一平面に属するようにされると共に、スリーブ２９の下端は貫通穴２３ｆ内に収容されている。）。さらに、スリーブ２９の内周には、嵌入ボルト２７の軸部２７ｃの外周に螺刻された雄ねじに螺合する雌ねじ（図示せず）が、嵌入ボルト２７の軸部２７ｃが上面２３ａａに対して略垂直方向に向いて螺合可能に螺刻されている。このため図５に示す矢印Ｄのように、嵌入ボルト２７の軸部２７ｃを内部空間２３ｋからスリーブ２９に嵌入させ（軸部２７ｃの外周に螺刻された該雄ねじと、スリーブ２９の内周に螺刻された該雌ねじと、を螺合させる。）、嵌入ボルト２７の頭２７ｄを回転させることで、天板２３ａの上面２３ａａから軸部２７ｃを突出させたり、逆に、天板２３ａの上面２３ａａから軸部２７ｃが突出しないように引っ込めることができる（即ち、嵌入ボルト２７の軸部２７ｃは上面２３ａａに対して出没自在である。）。なお、前述の図２においては、嵌入ボルト２７の軸部２７ｃが上面２３ａａから突出した状態を示している。
【００２０】
中収納棚３１は、後述する凹溝３３ｍｂや起毛凸条３３ｍｎを除いて上述した下収納棚２１の本体部２３とほぼ同一の形状及び構造をした本体部３３と、本体部３３が形成する略直方体の４辺に長手方向が略平行になるように該略直方体の一外面に図示しないボルト及びナットによって取り付けられた一対の脚３５ａ、３５ｂ（鋼製）と、を有してなる。脚３５ａの下端と、脚３５ｂの下端と、のいずれもが、図１に示すように下収納棚２１と中収納棚３１とが組み合わされた状態（下収納棚２１の本体部２３に中収納棚３１の本体部３３が載置された状態）では、載置面（ここでは水平な床面）６１に当接している。
また、本体部３３が形成する略直方体の開放された一面（無蓋）によって構成される開口３３ｈは、図１に示すように下収納棚２１と中収納棚３１とが組み合わされた状態（下収納棚２１の本体部２３に中収納棚３１の本体部３３が載置された状態）では、開口２３ｈと同じ横方向（水平方向）を向くように配置されている（開口３３ｈと開口２３ｈとは、略鉛直な平面に略属するように配置されている。）。そして、やはり本体部３３が形成する箱体の内部空間３３ｋは、様々な物を収納することができる収納部分として用いることができる（開口３３ｈを経由して内部空間３３ｋに被収納物を出し入れできる。）。
【００２１】
そして、中収納棚３１の天板３３ａには、上述した下収納棚２１の天板２３ａに嵌入ボルト２７が取り付けられている位置と同様の位置に、一対の嵌入ボルト２７が配設されている。また、この天板３３ａへの嵌入ボルト２７の取り付け方法は、図５を用いて説明した下収納棚２１の天板２３ａへの嵌入ボルト２７の取り付け方法と同様であるので、ここでは説明を省略する。従って、中収納棚３１においても、嵌入ボルト２７の頭２７ｄを回転させることで、天板３３ａの上面３３ａａ（略水平面）から軸部２７ｃを突出させたり、逆に、天板３３ａの上面３３ａａから軸部２７ｃが突出しないように引っ込めることができる（即ち、嵌入ボルト２７の軸部２７ｃは上面３３ａａに対して出没自在である。）。なお、図３においては、嵌入ボルト２７の軸部２７ｃが、天板３３ａの上面３３ａａから突出した状態を示している。
【００２２】
一方、図６は、中収納棚３１の本体部３３の底板３３ｍの下面を示す図（図３中、矢印Ｅ方向から見たところを示している。）である。図７は図６のＡ−Ａ断面図であり、図８は図６のＢ−Ｂ断面図である。図６乃至図８を参照して、本体部３３の底板３３ｍの下面３３ｍａについて説明する。
底板３３ｍの下面３３ｍａには、下面３３ｍａが形成する略長方形の一対の長辺に対して略平行な下面３３ｍａ上の直線に沿って形成された凹溝３３ｍｂが形成されている。凹溝３３ｍｂは、天板２３ａの上面２３ａａから突出した嵌入ボルト２７の軸部２７ｃの上端近傍部分が遊嵌されるような位置及び寸法に形成されている。このため、嵌入ボルト２７の軸部２７ｃの上端近傍部分が凹溝３３ｍｂに遊嵌された状態では軸部２７ｃの上端近傍部分が凹溝３３ｍｂに沿って移動するように下収納棚２１に対して中収納棚３１が移動することが許容され、軸部２７ｃが凹溝３３ｍｂの一端３３ｍｂ１又は他端３３ｍｂ２に係止されると下収納棚２１に対する中収納棚３１のそれ以上の移動が禁止される。なお、凹溝３３ｍｂは、その長手方向（即ち、下面３３ｍａ上の前記直線に沿った方向）に対して垂直ないずれの断面においても図７に示したのと同様な断面形状を有している。
【００２３】
そして、底板３３ｍの下面３３ｍａには、下面３３ｍａが形成する略長方形の一対の長辺の一方に沿って該一方近傍に形成された起毛凸条３３ｍｎ１と、該一対の長辺の他方に沿って該他方近傍に形成された起毛凸条３３ｍｎ２と、が形成されている。これら起毛凸条３３ｍｎ１と起毛凸条３３ｍｎ２とのいずれも同じ構造を有しており、この構造について図８を用いて説明する。
起毛凸条３３ｍｎ（起毛凸条３３ｍｎ１と起毛凸条３３ｍｎ２）は、粘着テープによって形成された貼着部３３ｍｎａと、貼着部３３ｍｎａの貼着面とは反対の面に取り付けられた起毛部３３ｍｎｂと、を含んでなる。起毛部３３ｍｎｂは、貼着部３３ｍｎａの貼着面とは反対方向に突出するように植毛された起毛３３ｍｎｂａを有している。なお、かかる起毛凸条３３ｍｎは、既に市販されているものを用いて構成することもでき、一例を挙げれば、槌屋ティスコ株式会社が販売している商品名「ポリパイルテープ」を用いてもよい。また、起毛凸条３３ｍｎは、その長手方向に対して垂直ないずれの断面においても図８に示したのと同様な断面形状を有している。
そして、ここでは貼着部３３ｍｎａがはがれ落ちることを防止したり、意匠的な意義（貼着部３３ｍｎａを見えにくくする等）から、底板３３ｍの下面３３ｍａに形成された起毛凸条配設溝３３ｍｃに沿って貼着部３３ｍｎａが貼着されている。
なお、この起毛凸条３３ｍｎの起毛部３３ｍｎｂ（特に起毛３３ｍｎｂａ）が、天板２３ａの上面２３ａａに直接当接することで、底板３３ｍの下面３３ｍａと天板２３ａの上面２３ａａとが直接接触することを防止し、下面３３ｍａと上面２３ａａとが直接接触する場合に問題となり得る下面３３ｍａ及び／又は上面２３ａａの傷つきや引っかかり等を防止することができる。
【００２４】
以上説明したように、中収納棚３１の本体部３３は、起毛凸条３３ｍｎ（起毛部３３ｍｎｂ、特に起毛３３ｍｎｂａ）が天板２３ａの上面２３ａａに上方から当接して支持されることと、一対の脚３５ａ、３５ｂの下端が載置面（ここでは水平な床面）６１に当接することと、によって支持されている。
なお、中収納棚３１の本体部３３は、下収納棚２１の本体部２３に対して水平方向に移動可能である。このとき天板２３ａの上面２３ａａから突出した嵌入ボルト２７の軸部２７ｃの上端近傍部分が凹溝３３ｍｂに遊嵌された状態であれば、軸部２７ｃが凹溝３３ｍｂの一端３３ｍｂ１又は他端３３ｍｂ２に係止されるまでは軸部２７ｃの上端近傍部分が凹溝３３ｍｂに沿って移動するよう下収納棚２１に対する中収納棚３１の移動が許容される。また、軸部２７ｃの上端近傍部分が凹溝３３ｍｂに沿わない移動をすることや、軸部２７ｃが凹溝３３ｍｂの一端３３ｍｂ１又は他端３３ｍｂ２に係止されるよりもさらに大きい移動をすることを許容するには、天板２３ａの上面２３ａａから突出した嵌入ボルト２７の一方又は両方を下降させ凹溝３３ｍｂから抜き取るようにすればよい。
【００２５】
上収納棚４１は、天板３３ａに嵌入ボルト２７が配設されていないことを除いて上述した中収納棚３１の本体部３３とほぼ同一の形状及び構造をした本体部４３と、本体部４３が形成する略直方体の４辺に長手方向が略平行になるように該略直方体の一外面に図示しないボルト及びナットによって取り付けられた一対の脚４５ａ、４５ｂ（鋼製）と、を有してなる。脚４５ａの下端と、脚４５ｂの下端と、のいずれもが、図１に示すように下収納棚２１と中収納棚３１と上収納棚４１とが組み合わされた状態（中収納棚３１の本体部３３に上収納棚４１の本体部４３が載置された状態）では、載置面（ここでは水平な床面）６１に当接している。
また、本体部４３が形成する略直方体の開放された一面（無蓋）によって構成される開口４３ｈは、図１に示すように下収納棚２１と中収納棚３１と上収納棚４１とが組み合わされた状態（中収納棚３１の本体部３３に上収納棚４１の本体部４３が載置された状態）では、開口２３ｈ及び開口３３ｈと同じ横方向（水平方向）を向くように配置されている（開口４３ｈと開口３３ｈと開口２３ｈとは、略鉛直な平面に略属するように配置されている。）。そして、やはり本体部４３が形成する箱体の内部空間４３ｋは、様々な物を収納することができる収納部分として用いることができる（開口４３ｈを経由して内部空間４３ｋに被収納物を出し入れできる。）。
【００２６】
そして、上収納棚４１の天板４３ａには、上述した下収納棚２１の天板２３ａや中収納棚３１の天板３３ａとは異なり、嵌入ボルト２７が取り付けられていない。これは、本台１１においては上収納棚４１が最上部に位置するので、上収納棚４１の天板４３ａに嵌入ボルト２７を設けても、それが嵌入される凹溝が存しないためである。
なお、天板４３ａは、略水平な上面４３ａａを有している。
【００２７】
そして、図９に示すように、上収納棚４１の本体部４３の底板４３ｍの下面４３ｍａには、前述の図６において説明した本体部３３の底板３３ｍの下面３３ｍａが有する凹溝３３ｍｂや起毛凸条３３ｍｎと同様のものが備えられている（図４中、矢印Ｇ方向から見たところを示している。）。なお、図９中のＰ−Ｐ断面は前述のＡ−Ａ断面と同様であり、図９中のＱ−Ｑ断面は前述のＢ−Ｂ断面と同様である。
即ち、底板４３ｍの下面４３ｍａには、下面４３ｍａが形成する略長方形の一対の長辺に対して略平行な下面４３ｍａ上の直線に沿って形成された凹溝４３ｍｂが形成されている。凹溝４３ｍｂは、天板３３ａの上面３３ａａから突出した嵌入ボルト２７の軸部２７ｃの上端近傍部分が遊嵌されるような位置及び寸法に形成されている。このため、嵌入ボルト２７の軸部２７ｃの上端近傍部分が凹溝４３ｍｂに遊嵌された状態では軸部２７ｃの上端近傍部分が凹溝４３ｍｂに沿って移動するように中収納棚３１に対して上収納棚４１が移動することが許容され、軸部２７ｃが凹溝４３ｍｂの一端４３ｍｂ１又は他端４３ｍｂ２に係止されると中収納棚３１に対する上収納棚４１のそれ以上の移動が禁止される。
【００２８】
そして、底板４３ｍの下面４３ｍａには、下面４３ｍａが形成する略長方形の一対の長辺の一方に沿って該一方近傍に形成された起毛凸条４３ｍｎ１と、該一対の長辺の他方に沿って該他方近傍に形成された起毛凸条４３ｍｎ２と、が形成されている。これら起毛凸条４３ｍｎ１と起毛凸条４３ｍｎ２とのいずれも、既に説明した起毛凸条３３ｍｎ（起毛凸条３３ｍｎ１と起毛凸条３３ｍｎ２）と同じ構造を有しているので、詳しい説明は省略する。この起毛凸条４３ｍｎ（起毛凸条４３ｍｎ１と起毛凸条４３ｍｎ２）は、起毛凸条３３ｍｎと同様、槌屋ティスコ株式会社が販売している商品名「ポリパイルテープ」等のような既に市販されているものを用いて構成してよいことは言うまでもない。
やはりここでも、この起毛凸条４３ｍｎの起毛部（特に起毛）が、天板３３ａの上面３３ａａに直接当接することで、底板４３ｍの下面４３ｍａと天板３３ａの上面３３ａａとが直接接触することを防止し、下面４３ｍａと上面３３ａａとが直接接触する場合に問題となり得る下面４３ｍａ及び／又は上面３３ａａの傷つきや引っかかり等を防止することができる。
【００２９】
以上説明したように、上収納棚４１の本体部４３は、起毛凸条４３ｍｎ（起毛部、特に起毛）が天板３３ａの上面３３ａａに上方から当接して支持されることと、一対の脚４５ａ、４５ｂの下端が載置面（ここでは水平な床面）６１に当接することと、によって支持されている。
なお、上収納棚４１の本体部４３は、中収納棚３１の本体部３３に対して水平方向に移動可能である。このとき天板３３ａの上面３３ａａから突出した嵌入ボルト２７の軸部２７ｃの上端近傍部分が凹溝４３ｍｂに遊嵌された状態であれば、軸部２７ｃが凹溝４３ｍｂの一端４３ｍｂ１又は他端４３ｍｂ２に係止されるまでは軸部２７ｃの上端近傍部分が凹溝４３ｍｂに沿って移動するよう中収納棚３１に対する上収納棚４１の移動が許容される。また、軸部２７ｃの上端近傍部分が凹溝４３ｍｂに沿わない移動をすることや、軸部２７ｃが凹溝４３ｍｂの一端４３ｍｂ１又は他端４３ｍｂ２に係止されるよりもさらに大きい移動をすることを許容するには、天板３３ａの上面３３ａａから突出した嵌入ボルト２７の一方又は両方を下降させ凹溝４３ｍｂから抜き取るようにすればよい。
【００３０】
図１０は、本台１１の使用方法の一例を示す図である。図１０を参照して、本台１１の使用方法の一例について説明する。図１０は、状態（ａ）、（ｂ）、（ｃ）、（ｄ）、（ｅ）の５の状態を示している。また、図示を容易にするため、嵌入ボルト２７の図示は省略している。
まず、状態（ａ）は、前述の図１に示した状態と同じ状態であり、下収納棚２１の本体部２３に中収納棚３１の本体部３３が載置され、さらに、中収納棚３１の本体部３３に上収納棚４１の本体部４３が載置され、これら本体部２３と本体部３３と本体部４３とによって１の略直方体が形成されている（脚２５ａ、２５ｂ、２５ｃ、２５ｄと、脚３５ａ、３５ｂと、脚４５ａ、４５ｂと、の全ての下端が、載置面（ここでは水平な床面）６１に当接している。）。
【００３１】
次いで、状態（ｂ）は、天板２３ａの上面２３ａａから嵌入ボルト２７の軸部２７ｃを突出させ軸部２７ｃの上端近傍部分が凹溝３３ｍｂに遊嵌された状態でありかつ天板３３ａの上面３３ａａから嵌入ボルト２７の軸部２７ｃを突出させ軸部２７ｃの上端近傍部分が凹溝４３ｍｂに遊嵌された状態において、上面２３ａａから突出した軸部２７ｃの上端近傍部分が凹溝３３ｍｂに沿って移動するように下収納棚２１に対して中収納棚３１を移動させ、軸部２７ｃが凹溝３３ｍｂの一端３３ｍｂ１又は他端３３ｍｂ２に係止されて下収納棚２１に対する中収納棚３１のそれ以上の移動が禁止されると共に、上面３３ａａから突出した軸部２７ｃの上端近傍部分が凹溝４３ｍｂに沿って移動するように中収納棚３１に対して上収納棚４１を移動させ、軸部２７ｃが凹溝４３ｍｂの一端４３ｍｂ１又は他端４３ｍｂ２に係止されて中収納棚３１に対する上収納棚４１のそれ以上の移動が禁止された状態を示している。
【００３２】
さらに、状態（ｃ）は次のような状態である。
即ち、状態（ｂ）において上面２３ａａから突出した一対の軸部２７ｃのうち凹溝３３ｍｂの一端３３ｍｂ１又は他端３３ｍｂ２に係止されて下収納棚２１に対する中収納棚３１のそれ以上の移動を禁止している一方の軸部２７ｃを降下させて（該軸部２７ｃを有する嵌入ボルト２７を回転させることでスリーブ２９に対して降下させる。）凹溝３３ｍｂから抜き、上面２３ａａから突出した他方の軸部２７ｃの上端近傍部分が凹溝３３ｍｂに沿ってさらに移動するように下収納棚２１に対して中収納棚３１を移動させ、他方の軸部２７ｃが凹溝３３ｍｂの一端３３ｍｂ１又は他端３３ｍｂ２に係止されて下収納棚２１に対する中収納棚３１のそれ以上の移動が禁止されている。そして、同様に、状態（ｂ）において上面３３ａａから突出した一対の軸部２７ｃのうち凹溝４３ｍｂの一端４３ｍｂ１又は他端４３ｍｂ２に係止されて中収納棚３１に対する上収納棚４１のそれ以上の移動を禁止している一方の軸部２７ｃを降下させて（該軸部２７ｃを有する嵌入ボルト２７を回転させることでスリーブ２９に対して降下させる。）凹溝４３ｍｂから抜き、上面３３ａａから突出した他方の軸部２７ｃの上端近傍部分が凹溝４３ｍｂに沿ってさらに移動するように中収納棚３１に対して上収納棚４１を移動させ、他方の軸部２７ｃが凹溝４３ｍｂの一端４３ｍｂ１又は他端４３ｍｂ２に係止されて中収納棚３１に対する上収納棚４１のそれ以上の移動が禁止されている。
また、状態（ｃ）における上収納棚４１を９０度回動させることで状態（ｅ）になる。
【００３３】
そして、状態（ｄ）は、状態（ｂ）において上面２３ａａから突出した一対の軸部２７ｃのうち脚３５ａ、３５ｂ側に存する軸部２７ｃを降下させて（該軸部２７ｃを有する嵌入ボルト２７を回転させることでスリーブ２９に対して降下させる。）凹溝３３ｍｂから抜くと共に、状態（ｂ）において上面３３ａａから突出した一対の軸部２７ｃのうち脚３５ａ、３５ｂ側に存する軸部２７ｃを降下させて（該軸部２７ｃを有する嵌入ボルト２７を回転させることでスリーブ２９に対して降下させる。）凹溝４３ｍｂから抜いた状態で、下収納棚２１と上収納棚４１とに対して中収納棚３１を１８０度回動させたものである。
【００３４】
以上、本台１１の使用方法の一例を説明したが、本台１１はこれ以外にも様々な使用方法がある。即ち、本台１１は、使用者の要求に応じて種々の使用態様で使用されることができ、使用者の幅広い要求に応じることができる。
また、本台１１は、収納棚として機能するが、天板２３ａの上面２３ａａ、天板３３ａの上面３３ａａ、天板４３ａの上面４３ａａを有しているので机又はテーブルとして用いることもできる。
【００３５】
このように本台１１は、載置面（ここでは水平な床面）６１に載置され、上面２３ａａを有する天板２３ａを備える基礎台たる下収納棚２１と、該上面２３ａａに上方から当接して支持される当接部たる起毛凸条３３ｍｎ（起毛凸条３３ｍｎ１と起毛凸条３３ｍｎ２）と、下端が載置面（ここでは水平な床面）６１に当接し当接部たる起毛凸条３３ｍｎ（起毛凸条３３ｍｎ１と起毛凸条３３ｍｎ２）に対して固定される脚部たる脚３５ａ、３５ｂと、を有する移動台たる中収納棚３１と、を備え、当接部たる起毛凸条３３ｍｎ（起毛凸条３３ｍｎ１と起毛凸条３３ｍｎ２）が、該上面２３ａａに沿った少なくとも異なる２点以上において該上面２３ａａに当接可能である、台である。なお、ここでは当接部たる起毛凸条３３ｍｎ（起毛凸条３３ｍｎ１と起毛凸条３３ｍｎ２）が、上面２３ａａに沿ってスライド可能になっている。
さらに、本台１１は、載置面（ここでは水平な床面）６１に載置され、上面３３ａａを有する天板３３ａを備える基礎台（組み合わされた中収納棚３１と下収納棚２１とによって構成される。）と、該上面３３ａａに上方から当接して支持される当接部たる起毛凸条４３ｍｎ（起毛凸条４３ｍｎ１と起毛凸条４３ｍｎ２）と、下端が載置面（ここでは水平な床面）６１に当接し当接部たる起毛凸条４３ｍｎ（起毛凸条４３ｍｎ１と起毛凸条４３ｍｎ２）に対して固定される脚部たる脚４５ａ、４５ｂと、を有する移動台たる上収納棚４１と、を備え、当接部たる起毛凸条４３ｍｎ（起毛凸条４３ｍｎ１と起毛凸条４３ｍｎ２）が、該上面３３ａａに沿った少なくとも異なる２点以上において該上面３３ａａに当接可能である、台である。なお、ここでは当接部たる起毛凸条４３ｍｎ（起毛凸条４３ｍｎ１と起毛凸条４３ｍｎ２）が、上面３３ａａに沿ってスライド可能になっている。
【００３６】
そして、ここでは載置面６１が水平な床面であり、上面２３ａａと上面３３ａａとのいずれも略水平面であり、そして起毛凸条３３ｍｎ（起毛凸条３３ｍｎ１と起毛凸条３３ｍｎ２）及び起毛凸条４３ｍｎ（起毛凸条４３ｍｎ１と起毛凸条４３ｍｎ２）も略水平に沿って設けられている。
従って、当接部たる起毛凸条３３ｍｎ（起毛凸条３３ｍｎ１と起毛凸条３３ｍｎ２）が前記異なる２点以上において前記上面２３ａａに当接した際、載置面６１に対する脚部たる脚３５ａ、３５ｂの向き（ここでは脚３５ａ、３５ｂがのびる方向は載置面６１に対して略直角である。）が略一定である。
同様に、当接部たる起毛凸条４３ｍｎ（起毛凸条４３ｍｎ１と起毛凸条４３ｍｎ２）が前記異なる２点以上において前記上面３３ａａに当接した際、載置面６１に対する脚部たる脚４５ａ、４５ｂの向き（ここでは脚４５ａ、４５ｂがのびる方向は載置面６１に対して略直角である。）が略一定である。
【００３７】
さらに、本台１１では、中収納棚３１と上収納棚４１との移動台を２以上（ここでは２）備え、前記移動台（中収納棚３１と上収納棚４１）のうち最上部に配設されるもの（上収納棚４１）以外（中収納棚３１）は上面３３ａａを有する天板３３ａを有し、前記移動台（中収納棚３１と上収納棚４１）各々に対して、その下方に存する台全てによって、前記基礎台が形成されている。
具体的には、移動台たる中収納棚３１に対しては、上述のように、中収納棚３１の下方に存する台全て（ここでは下収納棚２１のみ）によって、前記基礎台が形成されている。
そして、移動台たる上収納棚４１に対しては、上述のように、上収納棚４１の下方に存する台全て（ここでは中収納棚３１と下収納棚２１との両台）によって、前記基礎台が形成されている。
【００３８】
そして、当接部たる起毛凸条３３ｍｎ（起毛凸条３３ｍｎ１と起毛凸条３３ｍｎ２）が、起毛部分たる起毛３３ｍｎｂａを有する。同様に、当接部たる起毛凸条４３ｍｎ（起毛凸条４３ｍｎ１と起毛凸条４３ｍｎ２）も起毛部分たる起毛を有する。
【００３９】
さらに、基礎台たる下収納棚２１と移動台たる中収納棚３１とのうち一方（中収納棚３１）に設けられた凹溝３３ｍｂと、他方（下収納棚２１）に設けられ凹溝３３ｍｂに遊嵌される凸部たる軸部２７ｃ（上面２３ａａから突出した軸部２７ｃ）と、が互いに係合する。なお、前記凸部たる軸部２７ｃ（上面２３ａａから突出した軸部２７ｃ）が、前記凹溝３３ｍｂに対して嵌脱自在である（該軸部２７ｃを有する嵌入ボルト２７を回転させればスリーブ２９に対して上昇又は降下させることができ嵌脱いずれも可能である。）。
また、中収納棚３１と下収納棚２１との両台によって構成される基礎台と、移動台たる上収納棚４１と、のうち一方（上収納棚４１）に設けられた凹溝４３ｍｂと、他方（中収納棚３１と下収納棚２１との両台によって構成される基礎台）に設けられ凹溝４３ｍｂに遊嵌される凸部たる軸部２７ｃ（上面３３ａａから突出した軸部２７ｃ）と、が互いに係合する。なお、前記凸部たる軸部２７ｃ（上面３３ａａから突出した軸部２７ｃ）が、前記凹溝４３ｍｂに対して嵌脱自在である（該軸部２７ｃを有する嵌入ボルト２７を回転させればスリーブ２９に対して上昇又は降下させることができ嵌脱いずれも可能である。）。
【００４０】
さらに、移動台たる中収納棚３１は収納部分たる内部空間３３ｋを有し、移動台たる上収納棚４１は収納部分たる内部空間４３ｋを有している。
そして、移動台たる中収納棚３１は、上面３３ａａを有する天板３３ａを備えている。また、移動台たる上収納棚４１は、上面４３ａａを有する天板４３ａを備えている。
なお、図１及び図１０（状態（ａ））に示したように、下収納棚２１の本体部２３に中収納棚３１の本体部３３が載置され、さらに、中収納棚３１の本体部３３に上収納棚４１の本体部４３が載置され、これら本体部２３と本体部３３と本体部４３とによって１の略直方体が形成されるような状態では、脚２５ａ、２５ｂと、脚３５ａ、３５ｂと、脚４５ａ、４５ｂと、が、互いに干渉（衝突）しないような位置関係に取り付けられている。
【図面の簡単な説明】
【図１】一実施形態の本発明の台（本台）を示す斜視図である。
【図２】下収納棚を示す斜視図である。
【図３】中収納棚を示す斜視図である。
【図４】上収納棚を示す斜視図である。
【図５】嵌入ボルトの取り付け状態を示す断面図である。
【図６】中収納棚の本体部の底板の下面を示す図である。
【図７】図６のＡ−Ａ断面図である。
【図８】図６のＢ−Ｂ断面図である。
【図９】上収納棚の本体部の底板の下面を示す図である。
【図１０】本台の使用方法の一例を示す図である。
【符号の説明】
１１　　　　　　本台
２１　　　　　　下収納棚
２３　　　　　　本体部
２３ａ　　　　　天板
２３ｆ　　　　　貫通穴
２３ｈ　　　　　開口
２３ｋ　　　　　内部空間
２３ａａ　　　　上面
２５ａ、２５ｂ、２５ｃ、２５ｄ　脚
２７　　　　　　嵌入ボルト
２７ｃ　　　　　軸部
２７ｄ　　　　　頭
２９　　　　　　スリーブ
３１　　　　　　中収納棚
３３　　　　　　本体部
３３ａ　　　　　天板
３３ａａ　　　　上面
３３ｈ　　　　　開口
３３ｋ　　　　　内部空間
３３ｍ　　　　　底板
３３ｍａ　　　　下面
３３ｍｂ　　　　凹溝
３３ｍｂ１　　　一端
３３ｍｂ２　　　他端
３３ｍｎ、３３ｍｎ１、３３ｍｎ２　起毛凸条
３３ｍｎａ　　　貼着部
３３ｍｎｂ　　　起毛部
３３ｍｎｂａ　　起毛
３３ｍｃ　　　　起毛凸条配設溝
３５ａ、３５ｂ　脚
４１　　　　　　上収納棚
４３　　　　　　本体部
４３ａ　　　　　天板
４３ａａ　　　　上面
４３ｈ　　　　　開口
４３ｋ　　　　　内部空間
４３ｍ　　　　　底板
４３ｍａ　　　　下面
４３ｍｂ　　　　凹溝
４３ｍｂ１　　　一端
４３ｍｂ２　　　他端
４３ｍｎ、４３ｍｎ１、４３ｍｎ２　起毛凸条
４５ａ、４５ｂ　脚
６１　　　　　　載置面
【図１】
2004065651.tif 000003
【図２】
2004065651.tif 000004
【図３】
2004065651.tif 000005
【図４】
2004065651.tif 000006
【図５】
2004065651.tif 000007
【図６】
2004065651.tif 000008
【図７】
2004065651.tif 000009
【図８】
2004065651.tif 000010
【図９】
2004065651.tif 000011
【図１０】
2004065651.tif 000012